(57)【要約】【課題】画像のムラを抑えつつ、精度の高い２色画像を印刷するための画像処理を行うことができる画像処理装置を提供する。【解決手段】色判断部１２は、画像データの各画素が、指定された抽出色であるか否かを判断し、連続性判断部１３は、色判断部１２による判断結果に基づき、各画素の周辺画素に対する連続性の有無を判断し、色判断変更部１４は、連続性判断部１３により周辺画素に対する連続性がないと判断された画素であり、かつ、所定の保持色以外である画素についての、色判断部による判断結果を変更し、印刷データ生成部１５は、色判断変更部１４により変更された判断結果を含む色判断部の判断結果を用いて、画像データから、抽出色の画素を印刷する色と抽出色以外の色の画素を印刷する色との２色印刷用の印刷データを生成する。【選択図】図１
2012022486.tif 000002
【特許請求の範囲】
【請求項１】
カラーの画像データから２色印刷用の印刷データを得る画像処理装置であって、
抽出色を指定する指定部と、
前記画像データの各画素が、前記抽出色であるか否かを判断する色判断部と、
前記色判断部による判断結果に基づき、各画素の周辺画素に対する連続性の有無を判断する連続性判断部と、
前記連続性判断部により周辺画素に対する連続性がないと判断された画素であり、かつ、所定の保持色以外である画素についての、前記色判断部による判断結果を変更する色判断変更部と、
前記色判断変更部により変更された判断結果を含む前記色判断部の判断結果を用いて、前記画像データから、前記抽出色の画素を印刷する色と前記抽出色以外の色の画素を印刷する色との２色印刷用の印刷データを生成する印刷データ生成部と
を備えることを特徴とする画像処理装置。
【請求項２】
前記抽出色は、２色印刷に用いられる２色のうちのいずれか１色であり、
前記保持色は、２色印刷に用いられる２色を含むことを特徴とする請求項１に記載の画像処理装置。
【請求項３】
前記指定部は、ユーザ操作に応じて前記保持色を指定可能であることを特徴とする請求項１または２に記載の画像処理装置。
【発明の詳細な説明】
【技術分野】
【０００１】
本発明は、印刷対象の画像データを処理する画像処理装置に関する。
【背景技術】
【０００２】
従来、カラーの原稿を２色で印刷する印刷装置が知られている。このような２色印刷装置でカラーの原稿を印刷するために、印刷対象のカラーの画像データを２色印刷用の印刷データに変換する画像処理が行われる。
【０００３】
上記の画像処理では、印刷対象の画像データの各画素が、指定された色（抽出色）であるか否かが判断される。そして、この判断結果を用いて、画像データにおける抽出色の画素を一方の色で印刷し、抽出色以外の色の画素を他方の色で印刷するための２色印刷用の印刷データが生成される。
【０００４】
しかし、文字、イラスト等のエッジや輪郭のようにアンチエイリアス処理が施された部分や、例えば肌色のような中間色の部分等の、徐々に階調が異なる部分を含んだ画像データでは、上記の抽出色であるか否かの判断において、誤った判断がなされることがある。つまり、例えば、抽出色と判断されるべき画素が、抽出色ではないと判断されることがある。その結果、印刷された画像にムラが生じてしまうことがある。
【０００５】
そこで、特許文献１の技術では、抽出色であるか否かの判断結果について、周辺の画素との連続性がない画素においては、判断が誤っていたものとして、その判断結果を変更している。これにより、ムラの少ない２色画像を形成できるようにしている。
【先行技術文献】
【特許文献】
【０００６】
【特許文献１】特開２００７−２６６８６０号公報
【発明の概要】
【発明が解決しようとする課題】
【０００７】
しかしながら、特許文献１の技術では、抽出色であるか否かの判断結果を変更する際、必要でない変更が行われることがある。
【０００８】
例えば、図９（ａ）に示すような黒、赤の画素からなる画像データを、黒、赤の２色を用いて印刷する場合を想定する。特許文献１の技術によれば、抽出色が黒または赤とすると、図９（ａ）における赤の画素１０１，１０２は、周辺の画素との連続性がないと判断され、抽出色であるか否かの判断結果が変更される。
【０００９】
例えば、抽出色が黒であるとすると、画素１０１，１０２は抽出色でなく、さらに、周辺の抽出色である画素との連続性がないと判断される。これを受けて、画素１０１，１０２は抽出色であるという判断に変更される。その結果、印刷される画像は、図９（ｂ）に示すように、画素１０１，１０２も黒で印刷されたものとなり、印刷画像上では赤が消える。
【００１０】
図９（ａ）の画像データを黒と赤とで印刷する場合は、赤の画素１０１，１０２は赤で印刷されるべきと考えられる。しかし、特許文献１の技術では、上述のように画素１０１，１０２も黒で印刷されてしまう。このようなことから、特許文献１の技術では、印刷画像の精度が低下することがある。
【００１１】
本発明は上記に鑑みてなされたもので、画像のムラを抑えつつ、精度の高い２色画像を印刷するための画像処理を行うことができる画像処理装置を提供することを目的とする。
【課題を解決するための手段】
【００１２】
上記目的を達成するため、本発明に係る画像処理装置の第１の特徴は、カラーの画像データから２色印刷用の印刷データを得る画像処理装置であって、抽出色を指定する指定部と、前記画像データの各画素が、前記抽出色であるか否かを判断する色判断部と、前記色判断部による判断結果に基づき、各画素の周辺画素に対する連続性の有無を判断する連続性判断部と、前記連続性判断部により周辺画素に対する連続性がないと判断された画素であり、かつ、所定の保持色以外である画素についての、前記色判断部による判断結果を変更する色判断変更部と、前記色判断変更部により変更された判断結果を含む前記色判断部の判断結果を用いて、前記画像データから、前記抽出色の画素を印刷する色と前記抽出色以外の色の画素を印刷する色との２色印刷用の印刷データを生成する印刷データ生成部とを備えることにある。
【００１３】
本発明に係る画像処理装置の第２の特徴は、前記抽出色は、２色印刷に用いられる２色のうちのいずれか１色であり、前記保持色は、２色印刷に用いられる２色を含むことにある。
【００１４】
本発明に係る画像処理装置の第３の特徴は、前記指定部は、ユーザ操作に応じて前記保持色を指定可能であることにある。
【発明の効果】
【００１５】
本発明に係る画像処理装置の第１の特徴によれば、画像データにおける各画素が指定された抽出色であるか否かの判断結果に関して、周辺画素との連続性がない画素については判断結果を変更するが、周辺画素との連続性がなくても保持色である画素については判断結果を維持し、この判断結果を用いて、画像データから２色印刷用の印刷データを生成することで、画像のムラを抑えつつ、精度の高い２色画像を印刷するための画像処理を行うことができる。
【００１６】
本発明に係る画像処理装置の第２の特徴によれば、抽出色は２色印刷に用いられる２色のうちのいずれか１色であり、保持色は２色印刷に用いられる２色を含むことで、原稿の画像データに近い印刷画像が得られる。
【００１７】
本発明に係る画像処理装置の第３の特徴によれば、ユーザ操作に応じて保持色を指定可能であるので、ユーザの利便性を向上させることができる。
【図面の簡単な説明】
【００１８】
【図１】本発明の実施の形態に係る画像処理装置の構成を示すブロック図である。
【図２】図１に示した画像処理装置に接続される２色印刷可能な印刷装置の構成を示すブロック図である。
【図３】設定画面の一例を示す図である。
【図４】図１に示した画像処理装置における画像処理の動作を示すフローチャートである。
【図５】抽出色判断結果を変更する処理の手順を示すフローチャートである。
【図６】抽出色判断結果の例を示す図である。
【図７】抽出色判断結果の変更を説明する図である。
【図８】設定画面の他の例を示す図である。
【図９】従来技術を説明する図である。
【発明を実施するための形態】
【００１９】
以下、本発明の実施の形態について、図面を参照して説明する。なお、各図面を通じて同一もしくは同等の部位や構成要素には、同一もしくは同等の符号を付し、その説明を省略もしくは簡略化する。
【００２０】
図１は、本発明の実施の形態に係る画像処理装置の構成を示すブロック図、図２は、図１の画像処理装置に接続される２色印刷可能な印刷装置の構成を示すブロック図である。
【００２１】
図１に示す画像処理装置１は、ＣＰＵ、メモリ、ハードディスク等の記憶装置（いずれも図示せず）等を備えたパーソナルコンピュータ等により構成される。画像処理装置１は、アプリケーションプログラム等で作成されたカラーの原稿の画像データから、図２に示す印刷装置２で２色印刷を行うための２色印刷用の印刷データを生成し、この印刷データを印刷装置２に送信して印刷させる。画像処理装置１と印刷装置２とは、例えばＬＡＮ接続される。
【００２２】
画像処理装置１には、図２の印刷装置２に対応して開発されたプリンタドライバプログラムがインストールされている。このプリンタドライバプログラムをＣＰＵが実行することにより、プリンタドライバ部１０が形成される。
【００２３】
プリンタドライバ部１０は、設定部１１と、色判断部１２と、連続性判断部１３と、色判断変更部１４と、印刷データ生成部１５と、表示制御部１６とを備える。
【００２４】
設定部１１は、印刷装置２で印刷を行う際のユーザ操作による印刷条件の設定を受け付ける。
【００２５】
色判断部１２は、印刷対象となるカラーの原稿の画像データの各画素が、抽出色であるか否かを判断する。抽出色は、印刷装置２で２色印刷を行う際の一方のインク色に対応する画像データ上の色としてユーザ操作に応じて指定されるものである。抽出色の画素が一方のインク色で印刷され、抽出色以外の色の画素が他方のインク色で印刷されることになる。
【００２６】
連続性判断部１３は、色判断部１２による判断結果に基づき、各画素の周辺画素に対する連続性の有無を判断する。
【００２７】
色判断変更部１４は、連続性判断部１３により周辺画素に対する連続性がないと判断された画素についての、色判断部１２による判断結果を変更する。ただし、色判断変更部１４は、連続性判断部１３により周辺画素に対する連続性がないと判断された画素であっても、所定の保持色である画素については、色判断部１２による判断結果の変更は行わない。保持色は、上記連続性がなくても印刷画像上で表現される画素の原稿データ上における色である。
【００２８】
印刷データ生成部１５は、色判断変更部１４により変更された判断結果を含む色判断部１２の判断結果を用いて、画像データから、抽出色の画素を印刷するインク色と抽出色以外の色の画素を印刷するインク色との２色印刷用の印刷データを生成する。
【００２９】
表示制御部１６は、後述の表示部１８の表示制御を行う。
【００３０】
また、画像処理装置１は、キーボードやマウス等からなり、ユーザの操作を受け付ける入力部１７と、液晶ディスプレイ等からなり、各種の設定画面等を表示する表示部１８と、印刷装置２との通信を行うための通信部１９とを備える。入力部１７は、ユーザ操作に応じて抽出色を指定する指定部としての機能を有する。
【００３１】
印刷装置２は、孔版印刷方式の２色印刷可能な印刷装置であり、図２に示すように、画像処理部２０と、製版部２１と、印刷部２２と、通信部２３と、原稿読取部２４と、操作パネル部２５と、制御部２６とを備える。
【００３２】
画像処理部２０は、画像処理装置１から供給される、ページ記述言語（ＰＤＬ：Page Description Language）で示された印刷データを画像展開する。
【００３３】
製版部２１は、画像処理部２０で画像展開して得られた各色用の画像データに基づいて、色ごとに孔版原紙を加熱穿孔して製版する。
【００３４】
印刷部２２は、２色印刷に用いる各色に対応した２つのドラムＤ１，Ｄ２を備える。ドラムＤ１，Ｄ２には、それぞれのインク色に応じて製版部２１で製版された孔版原紙が着版される。ドラムＤ１，Ｄ２は、内部からインクを供給し、孔版原紙の穿孔部分からインクを用紙に転写することで画像を印刷する。印刷部２２は、ドラムＤ１により１色目の画像を用紙に印刷した後、ドラムＤ２側に用紙を搬送し、ドラムＤ２により２色目の画像を印刷する。
【００３５】
通信部２３は、画像処理装置１との通信を行うものであり、画像処理装置１から印刷データを受信する。
【００３６】
原稿読取部２４は、ＣＣＤ（Charge Coupled Device）イメージセンサを有し、原稿を光学的に読み取り、読み取った原稿の画像データを出力する。
【００３７】
操作パネル部２５は、各種操作ボタン、タッチパネル（いずれも図示せず）等を有し、ユーザによる入力操作を受け付け、操作に応じた操作信号を出力する。
【００３８】
制御部２６は、ＣＰＵ、メモリ（いずれも図示せず）等を備えて構成され、ＣＰＵが制御プログラムに応じた各種処理を実行して、印刷装置２全体の動作を制御する。
【００３９】
次に、画像処理装置１の動作について説明する。
【００４０】
画像処理装置１においてアプリケーションプログラム等で作成したカラーの原稿の画像データを、印刷装置２を用いて２色印刷する際、ユーザは、表示部１８に表示される設定画面上で、各種設定項目について設定を行う。
【００４１】
ここで表示される設定画面の一例を図３に示す。図３に示すように、設定画面３０には、２色印刷に用いる各ドラムＤ１，Ｄ２のインク色を設定するためのインク色設定欄３１，３２と、抽出色を設定するための抽出色設定欄３３と、抽出色に対応する画像を印刷するドラムを選択するための抽出色出力ドラム設定欄３４とが表示される。
【００４２】
インク色設定欄３１，３２、抽出色設定欄３３、および抽出色出力ドラム設定欄３４は、それぞれプルダウン等のメニュー形式になっている。インク色設定欄３１，３２では、黒、赤、青、緑等の色からそれぞれ１色を選択可能になっている。抽出色設定欄３３では、インク色設定欄３１，３２で選択された２色のうちのいずれかが選択可能になる。抽出色出力ドラム設定欄３４では、ドラムＤ１、ドラムＤ２（図３中ではドラムＩ、ドラムIIと表記）のいずれかが選択可能になっている。
【００４３】
設定部１１は、上記のような設定画面３０に対するユーザの設定入力操作を受け付ける。そして、ユーザ操作に応じて印刷開始を指示する信号が入力されると、プリンタドライバ部１０は、設定内容に応じた画像処理を実行する。
【００４４】
図４に示すフローチャートを参照して、画像処理装置１における画像処理の動作について説明する。
【００４５】
ステップＳ１０において、色判断部１２は、印刷対象であるカラーの画像データの各画素の色を判断し、各画素の色が、指定された抽出色であるか否かを判断する。各画素の色を判断する方法は特に限定されないが、例えば、各画素のＲＧＢ値をＨＳＶ色空間の値に変換して色判断を行うことができる。
【００４６】
この方法を用いる場合、色の種類（赤、青、緑など）を示す色相Ｈ（０〜３６０）と、色の鮮やかさを示す彩度Ｓ（０〜１００％）とを用い、例えば、赤色である条件として「“３６０＞Ｈ≧３００または６０＞Ｈ≧０”かつ“Ｓ≦Ｔｈ”」というように、各色の条件を予め定めておく。色判断部１２は、各画素のＲＧＢ値をＨＳＶ色空間の値に変換し、上記のような条件に基づいて、各画素の色を判断する。ここで、Ｔｈは、無彩色であるか否かを判断するための彩度の閾値である。完全な無彩色はＳ＝０であるが、Ｓ＝０でなくても、Ｓの値が小さい場合は、人の目には無彩色に見えるため、閾値Ｔｈは０より少し大きい値とすることが好ましい。各画素の色、および抽出色であるか否かの判断結果（抽出色判断結果）は、図示しないメモリに記憶される。
【００４７】
次いで、ステップＳ２０において、連続性判断部１３は、色判断部１２による各画素の抽出色判断結果に基づいて、各画素の周辺画素に対する連続性を判断し、この連続性の判断結果に基づいて、色判断変更部１４は、色判断部１２による抽出色判断結果の変更を行う。この抽出色判断結果を変更する処理については後述する。
【００４８】
そして、ステップＳ３０において、印刷データ生成部１５は、印刷装置２での２色印刷用の印刷データを生成する。このステップＳ３０の処理では、印刷データ生成部１５は、色判断変更部１４による抽出色判断結果の変更処理終了後の各画素についての抽出色判断結果と、設定画面３０を介して設定された設定内容とに基づいて、画像データにおける各画素を２色変換する。
【００４９】
ここで、２色変換後の各ドラムＤ１，Ｄ２に対する値をｄ１（ｘ，ｙ）、ｄ２（ｘ，ｙ）とする。図３の例のように、抽出色の出力ドラムがドラムＩ（ドラムＤ１）が設定されている場合、抽出色であるという判断をされた画素の値は、ｄ１（ｘ，ｙ）＝ｆ１（Ｒ，Ｇ，Ｂ）、ｄ２（ｘ，ｙ）＝０（白）とし、抽出色以外であるという判断をされた画素の値は、ｄ１（ｘ，ｙ）＝０（白）、ｄ２（ｘ，ｙ）＝ｆ２（Ｒ，Ｇ，Ｂ）とする。逆に、抽出色の出力ドラムがドラムII（ドラムＤ２）に設定されている場合は、抽出色であるという判断をされた画素の値は、ｄ１（ｘ，ｙ）＝０（白）、ｄ２（ｘ，ｙ）＝ｆ３（Ｒ，Ｇ，Ｂ）とし、抽出色以外であるという判断をされた画素の値は、ｄ１（ｘ，ｙ）＝ｆ４（Ｒ，Ｇ，Ｂ）、ｄ２（ｘ，ｙ）＝０（白）とする。ここで、ｆ１（Ｒ，Ｇ，Ｂ）〜ｆ４（Ｒ，Ｇ，Ｂ）は、ＲＧＢ値をグレースケールに変換した値である。この変換は公知の方法を用いて行うことができる。
【００５０】
そして、印刷データ生成部１５は、２色変換した画像データをＰＤＬに変換した印刷データを生成する。
【００５１】
次に、上述した図４のステップＳ２０における、抽出色判断結果を変更する処理の詳細について、図５に示すフローチャートを参照して説明する。
【００５２】
ステップＳ１１０において、連続性判断部１３は、任意の１画素を注目画素とし、色判断部１２による抽出色であるか否かの判断結果に関して、注目画素が周辺画素に対する連続性を有しているか否かを判断する。
【００５３】
この連続性の判断において、連続性判断部１３は、注目画素を中央にして、縦３画素×横３画素の９画素からなる領域を連続性判別領域とする。そして、連続性判断部１３は、連続性判別領域内の注目画素の周辺の８画素において、注目画素の抽出色判断結果と異なる抽出色判断結果である画素の割合Ｒが、予め設定された閾値Ｒｔｈ以上であるか否かを判断する。連続性判断部１３は、割合Ｒが閾値Ｒｔｈ以上である場合、注目画素に周辺画素に対する連続性がないと判断し、割合Ｒが閾値Ｒｔｈ未満である場合、連続性があると判断する。なお、連続性判別領域は、上記のような３画素×３画素の領域に限らず、５画素×５画素等でもよい。
【００５４】
閾値Ｒｔｈは、例えば、７／８（８７．５％）とする。この場合において、図６（ａ）に示すように、注目画素が抽出色であり、その周辺の８画素がすべて抽出色以外である場合、割合Ｒが１００％であるため、注目画素に周辺画素に対する連続性がないと判断される。また、図６（ｂ）に示すように、注目画素が抽出色以外であり、その周辺の８画素のうちの７画素が抽出色である場合、割合Ｒが８７．５％であるため、注目画素に周辺画素に対する連続性がないと判断される。一方、図６（ｃ）に示すように、注目画素が抽出色以外であり、その周辺の８画素のうちの６画素が抽出色である場合、割合Ｒが７５％であるため、注目画素に周辺画素に対する連続性があると判断される。注目画素に周辺画素に対する連続性がある場合（ステップＳ１１０：ＹＥＳ）、ステップＳ１４０に進み、連続性がない場合（ステップＳ１１０：ＮＯ）、ステップＳ１２０に進む。
【００５５】
ステップＳ１２０では、色判断変更部１４は、注目画素が保持色であるか否かを判断する。本実施の形態では、保持色は印刷に用いる２色（図３の設定例では黒と赤）とする。
【００５６】
注目画素が保持色でない場合（ステップＳ１２０：ＮＯ）、ステップＳ１３０において、色判断変更部１４は、注目画素の抽出色判断結果を変更する。例えば、図６（ｂ）の例において、注目画素が保持色でない場合、色判断変更部１４は、注目画素の抽出色判断結果を、抽出色以外であるという判断結果から、図６（ｄ）に示すように、抽出色であるという判断結果に変更する。
【００５７】
注目画素が保持色である場合は（ステップＳ１２０：ＹＥＳ）、抽出色判断結果は変更せず、ステップＳ１４０に進む。
【００５８】
ステップＳ１４０では、連続性判断部１３は、印刷対象の画像データにおける全画素の連続性判断が終了したか否かを判断する。全画素の連続性判断が終了した場合（ステップＳ１４０：ＹＥＳ）、図５のフローチャートの一連の処理を終了する。連続性判断が終了していない画素がある場合（ステップＳ１４０：ＮＯ）、ステップＳ１５０において、連続性判断部１３は、注目画素を次の画素に移動し、その後ステップＳ１１０に戻る。
【００５９】
以上のような抽出色判断結果の変更処理を行うことにより、画像データの全画素のうち、周辺画素に対する連続性がないと判断された画素については、連続性が出るように抽出色判断結果が変更されるが、連続性がないと判断された画素であっても、保持色である画素については、抽出色判断結果は変更されない。
【００６０】
例えば、図７（ａ）のような画像データを２色印刷する際に、図３の設定画面３０に示したような、印刷に黒と赤の２色を用い、抽出色は黒であり、抽出色を黒のインク（ドラムＩ）で印刷する設定である場合、色判断部１２による抽出色判断結果は図７（ｂ）のようになる。つまり、赤の画素４１および青の画素４２が抽出色以外と判断され、その他の黒の画素は抽出色であると判断される。
【００６１】
そして、画素４１，４２はともに、周辺画素に対する連続性がないと判断される。ここで、赤は印刷に用いる色であるため保持色であり、青は保持色でない。このため、図７（ｃ）に示すように、青の画素４２の抽出色判断結果は色判断変更部１４により変更されるが、赤の画素４１の抽出色判断結果は変更されない。
【００６２】
以上のような抽出色判断結果の変更処理終了後の抽出色判断結果を用いて、前述のように、印刷データ生成部１５は、印刷装置２での２色印刷用の印刷データを生成し、この印刷データを、通信部１９を介して印刷装置２に送信する。
【００６３】
ここで、孔版印刷方式の印刷装置では、インク色に応じてドラムが選択的に用いられ、異なるインク色を用いる場合は、ユーザがドラムを差し換える必要がある。画像処理装置１から送信される印刷データには、インク色設定欄３１，３２で設定されたインク色を示す情報が含まれている。印刷装置２の制御部２６は、画像処理装置１から２色印刷用の印刷データを受信すると、現在装着されているドラムＤ１，Ｄ２のインク色と、インク色設定欄３１，３２で設定されたドラムＤ１，Ｄ２のインク色とが同じであるか否かを判断し、異なる場合はドラムの差し換えを行う指示を操作パネル部２５に表示させる。この表示が行われると、ユーザは、ドラムの差し換えを行う。これにより、ドラムＤ１，Ｄ２がインク色設定欄３１，３２で設定されたインク色に応じたものとなる。
【００６４】
また、制御部２６は、画像処理部２０により印刷データを画像展開し、画像展開して得られた各色用の画像データに基づいて、色ごとに製版部２１により孔版原紙を製版するよう制御する。
【００６５】
そして、制御部２６は、印刷部２２のドラムＤ１，Ｄ２にそれぞれのインク色に応じて製版部２１で製版された孔版原紙を着版し、ドラムＤ１，Ｄ２により用紙に２色印刷を行うよう制御する。
【００６６】
図７の例では、図７（ｃ）のような抽出色判断結果を用いて生成された印刷データに基づく印刷により、図７（ｄ）に示すように、画像データでは青い画素４２は黒に置き換えられるが、赤の画素４１は赤で保持された画像が印刷される。図７（ａ）のような画像データを黒、赤の２色で印刷する場合、青の画素４２は画像のムラやノイズ的なものとして印刷画像上では消すことが望ましいが、赤の画素４１は印刷画像上に表現されることが、画像の精度を維持するために望ましい。
【００６７】
本実施の形態では、周辺画素との連続性がない画素については抽出色判断結果を変更するが、周辺画素との連続性がなくても保持色である画素については抽出色判断結果を維持することで、青の画素４２のように画像のムラとなる画素は印刷画像に表現しないようにしつつ、赤の画素４１のような必要な画素は印刷画像上に保持できる。
【００６８】
このように本実施の形態の画像処理装置１によれば、画像のムラを抑えつつ、精度の高い２色画像を印刷するための画像処理を行うことができる。
【００６９】
本実施の形態では、抽出色は２色印刷に用いる２色のうちのいずれかであり、保持色は印刷に用いる２色であるとして説明した。この場合、原稿の画像データに近い印刷画像が得られる。これに対し、２色印刷に用いる２色以外を抽出色としてもよく、また、２色印刷に用いる２色以外を保持色としてもよい。
【００７０】
この場合、例えば、図８に示すように、図３の設定画面３０に保持色指定欄３５を追加した設定画面３０Ａを用いて、ユーザが保持色指定欄３５から印刷に用いる２色以外の保持色を指定できるようにする。また、設定画面３０Ａでは、抽出色設定欄３３において、インク色設定欄３１，３２で選択された２色以外の色が選択可能になっている。
【００７１】
図８のように、印刷に黒と赤の２色を用い、抽出色は緑であり、保持色は黄と緑であり、抽出色を黒のインク（ドラムＩ）で印刷する設定である場合、画像データにおける抽出色である緑の画素が黒で印刷され、抽出色以外の色の画素は赤で印刷される。この際、前述したような周辺画素との連続性がない画素については連続性が出るように置き換えて印刷されるが、周辺画素との連続性がなくても保持色である黄と緑の画素については、赤で印刷される。
【００７２】
このようにすれば、印刷色の選択の自由度が高まり、ユーザの利便性が向上する。
【００７３】
なお、図８では、保持色指定欄３５において２色が指定可能となっているが、保持色として指定可能な色の数はこれに限らない。また、保持色指定欄３５で指定された２色に加えて印刷に用いる２色も保持色とするようにしてもよい。
【００７４】
本実施の形態の画像処理装置１の機能を印刷装置２で実現させることもできる。この場合、原稿読取部２４で原稿を読み取って得られる画像データを印刷対象の画像データとし、画像処理装置１の入力部１７および表示部１８の機能を操作パネル部２５で実現し、画像処理装置１のプリンタドライバ部１０の機能を制御部２６および画像処理部２０で実現することができる。
【００７５】
これにより、印刷装置２のコピー機能によりカラー原稿を２色印刷する場合においても、画像のムラを抑えつつ、精度の高い２色画像を印刷するための画像処理を行うことができる。
【００７６】
また、本実施の形態に示した孔版印刷方式の印刷装置に限らず、電子写真方式等の他の方式で印刷する印刷装置を用いる場合にも、本発明は適用可能である。
【符号の説明】
【００７７】
１  画像処理装置
２  印刷装置
１０  プリンタドライバ部
１１  設定部
１２  色判断部
１３  連続性判断部
１４  色判断変更部
１５  印刷データ生成部
１６  表示制御部
１７  入力部
１８  表示部
１９  通信部
２０  画像処理部
２１  製版部
２２  印刷部
２３  通信部
２４  原稿読取部
２５  操作パネル部
２６  制御部
３０，３０Ａ  設定画面
Ｄ１，Ｄ２  ドラム
【図１】
2012022486.tif 000003
【図２】
2012022486.tif 000004
【図３】
2012022486.tif 000005
【図４】
2012022486.tif 000006
【図５】
2012022486.tif 000007
【図６】
2012022486.tif 000008
【図７】
2012022486.tif 000009
【図８】
2012022486.tif 000010
【図９】
2012022486.tif 000011